(57)【要約】【課題】２つの家具部品を取外し可能に接続するための取付具において、取外し位置におけるラッチ舌状部の代替的な固定を規定することにある。【解決手段】２つの家具部品（２，３）を解放可能に接続するための取付具（１）は、第１の家具部品（２）に締結することができる第１の取付具部品（４）と、第２の家具部品（３）に締結することができる第２の取付具部品（５）とを備え、第２の取付具部品（４）は、取付具部品（４、５）が互いに差し込まれると、ラッチノーズ（２１）によって後ろから係合される少なくとも１つの剛性ラッチカム（２３）を有し、ラッチノーズは、第１の取付具部品（４）の可撓性のラッチ舌状部（２０）上に設けられており、ラッチ舌状部（２０）は、ラッチ舌状部がラッチカム（２３）の後ろに係合する係止位置から、ラッチカム（２３）の後ろにもはや係止しない取外し位置に移動することができ、取外し位置において第２の取付具部品（５）に固定することができ、該固定は、取付具部品（４、５）を分離することによって取外すことができるラッチ舌状部（２０）は、該舌状部の部分において、少なくとも１つのラッチばね（２６）を有し、取付具部品（４，５）が互いに差し込まれたときに、ラッチばねのばね自由端が、第２の取付具部品（５）のカウンタベアリング（２７）によって、ラッチ舌状部（２０）の撓み面（２８）に対して横方向に撓ませることができ、ばね自由端は、ラッチ舌状部（２０）の取外し位置に達する前まで、係止位置からカウンタベアリング（２７）によって偏向されたままであり、ラッチ舌状部（２０）の取外し位置において、カウンタベアリング（２７）の後ろに跳ね戻り、その結果、第２の取付具部品（５）に固定される。【選択図】図１
2019516044.tif 000002
【特許請求の範囲】
【請求項１】
２つの家具部品（２，３）を取外し可能に接続するための取付具（１）であって、第１の家具部品（２）に締結することができる第１の取付具部品（４）と、第２の家具部品（３）に締結することができる第２の取付具部品（５）とを備え、前記第２の取付具部品（４）は、前記取付具部品（４，５）が互いに差し込まれると、ラッチノーズ（２１）によって後ろから係合される少なくとも１つの剛性ラッチカム（２３）を有し、前記ラッチノーズは、前記第１の取付具部品（４）の可撓性のラッチ舌状部（２０）上に設けられており、前記ラッチ舌状部（２０）は、前記ラッチ舌状部が前記ラッチカム（２３）の後ろに係合する係止位置から、前記ラッチ舌状部が前記ラッチカム（２３）の後ろにもはや係止しない取外し位置に移動することができ、前記取外し位置において前記第２の取付具部品（５）に固定することができ、該固定は、前記取付具部品（４，５）を分離することによって取り外すことができる取付具（１）において、
前記ラッチ舌状部（２０）は、その一部分において、少なくとも１つのラッチばね（２６）を有し、前記取付具部品（４，５）が互いに差し込まれたときに、前記ラッチばねのばね自由端が、前記第２の取付具部品（５）のカウンタベアリング（２７）によって、前記ラッチ舌状部（２０）の撓み面（２８）に対して横方向に撓ませることができ、前記ばね自由端は、前記ラッチ舌状部（２０）の前記取外し位置に達する前まで、前記係止位置からカウンタベアリング（２７）によって撓んだままであり、前記ラッチ舌状部（２０）の前記取外し位置において前記カウンタベアリング（２７）の後ろに跳ね戻り、その結果、前記第２の取付具部品（５）に固定されることを特徴とする取付具（１）。
【請求項２】
前記ラッチ舌状部（２０）は、いずれの側においても、ラッチばね（２６）を有し、そのばね自由端は、前記取付具部品（４，５）が互いに差し込まれているとき、前記第２の取付具部品（５）のカウンタベアリング（２７）によって前記ラッチ舌状部（２０）の前記撓み面（２８）に対して横方向に撓ませることができ、前記ばね自由端は、前記ラッチ舌状部（２０）の前記取外し位置に達する前まで、前記係止位置から前記カウンタベアリング（２７）によって撓んだままであり、前記ラッチ舌状部（２０）の前記取外し位置において前記カウンタベアリング（２７）の後ろに跳ね戻り、その結果、前記第２の取付具部品（５）に固定されることを特徴とする請求項１に記載の取付具。
【請求項３】
前記２つのラッチばね（２６）の前記自由端は、前記取付具部品（４，５）が互いに差し込まれているとき、前記第２の取付具部品（５）の前記カウンタベアリング（２７）によって、互いに向かう方向（２９）に撓むことができることを特徴とする請求項２に記載の取付具。
【請求項４】
前記取付具部品（４，５）が互いに差し込まれているときに互いに接触する前記ばね自由端及び前記カウンタベアリング（２７）の端面（３０，３１）の少なくとも１つは、好ましくは両方の端面（３０，３１）が、前記取付具部品（４，５）の差し込み方向に対して斜めに前記ばね自由端を撓むように設計されていることを特徴とする請求項１〜３のいずれか１項に記載の取付具。
【請求項５】
前記ラッチノーズ（６）から外側に面する前記ラッチ舌状部の後方領域において、前記ラッチ舌状部（２０）は、前記ラッチ舌状部（２０）の前記取外し位置において、スロット壁の後ろにラッチするまで、前記第２の取付具部品（５）の差し込み方向に開いている前記第２の取付具部品（５）のスロット（３４）を介して押し込まれるラッチヘッド（３２）の形態で設計されることを特徴とする請求項１に記載の取付具。
【請求項６】
前記第２の取付具部品（５）は、アクセス開口（２４）を有するベアリングベース（１２）を有し、前記アクセス開口を介して、前記ラッチ舌状部（２０）を前記係止位置から前記取外し位置へと撓ませるための工具（２５）を導入することができることを特徴とする請求項１〜５のいずれか１項に記載の取付具。
【請求項７】
前記アクセス開口（２４）は、丸穴の形態で、又はスロット開口若しくは十字スロット開口の形態で設計されていることを特徴とする請求項６に記載の取付具。
【請求項８】
前記取付具部品（４，５）が互いに差し込まれたとき、前記ラッチ舌状部（２０）は少なくとも前記第２の取付具部品（５）の前記アクセス開口（２４）内に延びることを特徴とする請求項６又は７に記載の取付具。
【請求項９】
前記第１の取付具部品は、特に拡開可能なカップウィング（９）を有するドリルインカップ（４）の形態で設計されていることを特徴とする請求項１〜８のいずれか１項に記載の取付具。
【請求項１０】
前記第２の取付具部品は、ピンが上に形成されているか、又はねじ（１６）若しくはピンのための穴（１４）を有する締結脚部（１３）を備えた担持部（５）の形態で設計されていることを特徴とする請求項１〜９のいずれか１項に記載の取付具。
【請求項１１】
開放周縁ボア（１５）を下側に有し、特に棚である第１の家具部品（２）と、ボア（１７）を有し、特にカーカス壁である第２の家具部品（３）と、請求項１〜１０のいずれか１項に記載の取付具（１）とを備える構造であって、前記第１の取付具部品（４）は、前記第１の家具部品（３）の前記ボア（１５）に挿入され、前記第２の取付具部品（５）は、前記第２の家具部品（３）の前記ボア（１７）に挿入され、互いに差し込まれたときに、前記２つの取付具部品（４，５）がラッチ舌状部（２０）によって互いに係止される構造。
【発明の詳細な説明】
【技術分野】
【０００１】
本発明は、２つの家具部品を取外し可能に接続するための取付具に関する。取付具は、第１の家具部品に締結することができる第１の取付具部品と、第２の家具部品に締結することができる第２の取付具部品とを備え、第２の取付具部品は、取付具部品が互いに差し込まれると、ラッチノーズによって後ろから係合される少なくとも１つの剛性ラッチカムを有し、ラッチノーズは、第１の取付具部品の可撓性のラッチ舌状部上に設けられており、ラッチ舌状部は、当該ラッチ舌状部がラッチカムの後ろに係合する係止位置から、ラッチカムの後ろにもはや係止しない取外し位置に移動することができ、取外し位置において第２の取付具部品に固定することができ、この固定は、取付具部品を分離することによって取り外すことができる。本発明はまた、このような取付具によって互いに接続された２つの家具部品を備える構造にも関する。
【背景技術】
【０００２】
このような２部品取付具は、例えば、特許文献１（欧州特許出願公開第０６８１１０９号明細書）から公知となっており、図７には、２つの剛性拘束カムが形成された第２の取付具部品が示されている。その取外し位置では、第１の取付具部品の弾性ラッチ舌状部が拘束カムの後ろに拘束され得、２つの取付具部品が分離されているときに、弾性ラッチ舌状部は、拘束カムに接触しなくなると、再びその接続準備完了の開始位置に跳ね戻る。その後、２つの取付具部品を再び共に接合することにより、再び、第１の取付具部品の弾性ラッチ舌状部のラッチノーズが、対応する拘束カムの後ろに係合する。２つの拘束カムの代わりに、１つのみの中央に配置された拘束カムを設けることも可能である。この公知の取付具では、弾性ラッチ舌状部は、拘束カムを通過してその取外し位置に移動することができる程度に弾性的に変形可能でなければならない。
【先行技術文献】
【特許文献】
【０００３】
【特許文献１】欧州特許出願公開第０６８１１０９号明細書
【発明の概要】
【発明が解決しようとする課題】
【０００４】
上記に対して、本発明の目的は、冒頭で言及したタイプの取付具において、取外し位置におけるラッチ舌状部の代替的な固定を規定することにある。
【課題を解決するための手段】
【０００５】
この目的は、本発明によれば、ラッチ舌状部が、その一部分において、少なくとも１つのラッチばねを有し、取付具部品が互いに差し込まれたときに、当該ラッチばねのばね自由端が、第２の取付具部品のカウンタベアリングによって、ラッチ舌状部の撓み面に対して横方向に撓ませることができ、自由ばね端は、ラッチ舌状部の取外し位置に達する前まで、係止位置からカウンタベアリングによって撓んだままであり、ラッチ舌状部の取外し位置においてカウンタベアリングの後ろに跳ね戻り、その結果、第２の取付具部品に固定されることにより達成される。
【０００６】
本発明によれば、２つの取付具部品が互いに差し込まれているときには、遅くともラッチ舌状部の係止位置において、少なくとも１つのラッチばねが、カウンタベアリング上でラッチ舌状部の撓み面に対して横方向に撓み、したがって、プレストレスを与えられる。その後、ラッチ舌状部の取外し位置において、ラッチばねは跳ね戻り、カウンタベアリングの後ろに係合し、その結果、撓んだラッチ舌状部が担持部にラッチされる。
【０００７】
好ましくは、ラッチ舌状部は、いずれの側においても、このタイプのラッチばねを有し、そのばね自由端は、取付具部品が互いに差し込まれているとき、第２の取付具部品のカウンタベアリングによってラッチ舌状部の撓み面に対して横方向に撓ませることができる。
【０００８】
この目的は、本発明によれば、ラッチノーズから外側に面するその後方領域において、ラッチ舌状部が、ラッチ舌状部の取外し位置において、スロット壁の後ろにラッチするまで、第２の取付具部品の差し込み方向に開いている第２の取付具部品のスロットを介して押し込まれるラッチヘッドの形態で設計されることによっても達成される。これは、２つの取付具部品が分離されているときに、ラッチヘッドがスロットから出て、ラッチ舌状部が再び接続準備完了の開始位置に跳ね戻るまで、ラッチ舌状部が担持部に固定されたままであることを意味する。
【０００９】
ラッチばねを係止位置から取外し位置に撓ませるために、ラッチ舌状部は第２の取付具部品からアクセス可能でなければならない。好ましくは、第２の取付具部品は、アクセス開口を有するベアリングベースを有し、アクセス開口を介してラッチ舌状部を撓ませるための工具を導入することができる。このアクセス開口は、丸穴、又はスロット開口若しくは十字スロット開口であってもよい。取付具部品が互いに差し込まれたときに、ラッチ舌状部がアクセス開口内に延びるか、又はさらにはそこから突出する場合、ラッチ舌状部が誰かの指によって取外し位置へと偏向されることもできる。
【００１０】
本発明の好ましい実施の形態では、第１の取付具部品は、拡開可能なカップウィングを有するドリルインカップの形態で設計され、第２の取付具部品は、その上にピンを形成されるか、又は、ねじ若しくはピンのための穴を有する締結脚部を有する担持部の形態で設計される。取付具部品が互いに差し込まれると、カップウィングは、差し込まれた担持部によって外側に広げられ、したがって、ボア壁に固定される。
【００１１】
本発明はまた、下側に開放周縁ボアを有する第１の家具部品と、ボアを有する第２の家具部品と、上記設計の取付具とを含む構成にも関する。第１の取付具部品が、第１の家具部品のボアに挿入され、第２の取付具部品が、第２の家具部品のボアに挿入され、それらが互いに差し込まれると、２つの取付具部品がラッチ舌状部によって互いに係止される。好ましくは、２つの家具部品は、木材又は木質繊維材料から形成される。
【００１２】
本発明のさらなる利点は、本明細書、特許請求の範囲、及び図面から取得することができる。同様に、上述の特徴及び以下に示す特徴は、各々、単独で又は共に任意の所望の組み合わせで使用することができる。図示され且つ説明された実施の形態は網羅的なリストとして理解されるべきではなく、むしろ本発明の説明のための例示的な特徴である。
【図面の簡単な説明】
【００１３】
【図１】２つの取付具部品を有する本発明に係る取付具の第１の実施の形態を示す図である。
【図２ａ】第１の家具部品に締結された第１の取付具部品を示す図である。
【図２ｂ】第２の家具部品に締結された第２の取付具部品を示す図である。
【図２ｃ】２つの取付具部品によって互いに締結された２つの家具部品を示す図である。
【図３ａ】係止端プラグ位置まで互いに差し込まれている２つの取付具部品を示す図である。
【図３ｂ】係止端プラグ位置まで互いに差し込まれている２つの取付具部品を示す図である。
【図３ｃ】係止端プラグ位置まで互いに差し込まれている２つの取付具部品を示す図である。
【図４ａ】工具によって係止解除されている２つの取付具部品を示す図である。
【図４ｂ】工具によって係止解除されている２つの取付具部品を示す図である。
【図４ｃ】工具によって係止解除されている２つの取付具部品を示す図である。
【図５ａ】図３ｂのＶａ−Ｖａに沿った２つの取付具部品の詳細図である。
【図５ｂ】図３ｃのＶｂ−Ｖｂに沿った２つの取付具部品の詳細図である。
【図５ｃ】図４ｂのＶｃ−Ｖｃに沿った２つの取付具部品の詳細図である。
【図６】２つの取付具部品が異なる工具によって外されている本発明に係る取付具の第２の実施の形態を示す図である。
【図７】係止端プラグ位置にある本発明に係る取付具の第３の実施の形態を示す図である。
【図８ａ】図７に示す取付具の２つの取付具部品を外す動作を示す図７のＶＩＩＩ−ＶＩＩＩに沿った断面図である。
【図８ｂ】図７に示す取付具の２つの取付具部品を外す動作を示す図７のＶＩＩＩ−ＶＩＩＩに沿った断面図である。
【発明を実施するための形態】
【００１４】
図面の以下の説明では、同じ又は機能的に同じ構成要素については、同一の参照符号を使用する。
【００１５】
図１に示す取付具１は、２つの家具部品２，３（図２）を取外し可能に接続する役割を果たし、第１の家具部品２に締結することができる第１の取付具部品４と、第２の家具部品３に締結することができる第２の取付具部品５とを備える。図示された例示的な実施の形態では、取付具１は、棚２をカーカス壁３に締結するための棚コネクタとして機能する。棚２及びカーカス壁３は、例えば木質繊維板である。
【００１６】
第１の取付具部品は、カップベース６、端部側のカップ開口７、及び、周壁内に設けられ、カップ開口７の方向に開き、カップベース６まで延伸する長手方向スロット８を有する単一片ドリルインカップ４の形態で設計されている。２つのカップウィング９が、長手方向スロット８の両側の周壁から切り取られており、上記カップウィングは、カップベース６に面する側においてのみ周壁に接続され、周壁を越えて外側に拡開されている。カップウィング９の外側には、軸方向に前後に配置された複数の周方向リブ１０の形態のリブ配列が形成されている。さらに、カップ開口７には、半径方向外側に突出する複数の周縁部分１１が深さ制限の目的で設けられている。ドリルインカップ４は、例えばプラスチック製である。
【００１７】
第２の取付具部品は、ベアリングベース１２と、穴１４を備えた締結脚部１３とを有する単一片担持部の形態で設計されており、上記締結脚部は、ベアリングベース１２上で上方に突出する。担持部５は、例えばダイカスト亜鉛製である。
【００１８】
図２ａに示すように、ドリルインカップ４は、深さ制限手段が許す限り手動で棚２の下側の開口周縁ボア１５に押し込まれる。拡開されたカップウィング９は、ドリルインカップ４が押し込まれると、ドリルインカップがそれ自体で保持されることを可能にするが、ボア１５内にねじれた状態で挿入されたドリルインカップ４は、依然として手で位置整合することができる。
【００１９】
図２ｂに示すように、担持部５は、穴１４を通って係合すると共にカーカス壁３のボア１７にねじ込まれるねじ１６によってカーカス壁３に固定される。図示されたねじ接続バージョンに代わるものとして、担持部５が、穴１４を通って係合すると共にボア１７に差し込まれる別個のピンによって、又は、ねじ穴１４の代わりに担持部５に形成されると共にボア１７に差し込まれるピンによって、カーカス壁３に締結されることも可能である。任意選択的に担持部に形成されたピンがその上側にくさび形ノーズを有することができる。
【００２０】
図２ｃに示すように、棚２は、カーカス壁３に締結されている担持部５へ上方から懸架されたドリルインカップ４を有し、ドリルインカップ４は、その長手方向スロット８が担持部５の締結脚部１３に外嵌されている。ドリルインカップ４及び締結脚部１３の傾斜案内面１８，１９は、懸架動作中にドリルインカップ４がカーカス壁３の方向に引き込まれ、したがって、棚２がカーカス壁３との間に隙間がないように当接することを意図している。ドリルインカップ４がベアリングベース１２上に着座すると、図２ｃに示すプラグ端位置に達する。このプラグ端位置では、一方では、より詳細に後述するように、ドリルインカップ４は、担持部５の差し込み方向とは反対の方向に係止（クリッピング）される。他方、ドリルインカップ４の２つのウィング９は、締結脚部１３によって外側に拡開され、したがって、周方向リブ１０が、ボア１５の壁内、すなわち、棚２の木質材料に押し込まれ、それ故、ドリルインカップ４はボア１５に堅固に固定される。
【００２１】
図３ａ〜図３ｃは、ドリルインカップ４を担持部５に係止する動作を詳細に示している。可撓性のラッチ舌状部２０がドリルインカップ４内に収められ、ラッチ舌状部はカップ開口７に面しているその自由端に、ランオンスロープ２２を有するラッチノーズ２１を有する。ラッチノーズ２１と相互作用する堅固なラッチカム２３が、担持部５上に配置されている。ドリルインカップ４と担持部５とが互いに差し込まれると、ラッチ舌状部２０は、ラッチカム２３上のラッチノーズ２１のランオンスロープ２２によってその開始位置（図３ａ）から撓み、したがって、プラグ端位置において、ラッチノーズ２１がラッチカム２３を越えて押され、ラッチ舌状部２０がそのラッチノーズ２１を介してラッチカム２３の後ろに跳ね戻る（図３ｃ）まで、プレストレスを与えられる（図３ｂ）。ラッチカム２３の後ろに係合するラッチ舌状部２０は、その差し込み方向とは反対に、ドリルインカップ４を担持部５に係止し、それ故、もはや棚２がカーカス壁３から取外されることはできない。
【００２２】
取外すためには、図４ａ〜図４ｃに示す手順を使用する。細いピン２５（直径約１．２ｍｍ）の形態の工具が、ベアリングベース１２の小さな丸いアクセス開口２４を通って上方に押し上げられ、上記ピンは、ラッチノーズ２１のランオンスロープ２２に当接し、したがって、ラッチ舌状部２０を係止位置（図３ｃ）から、上記ラッチ舌状部がもはやラッチカム２３の後ろに係合していない取外し位置（図４ａ）に撓ませる。２つの取付具部品４，５が分離されているときに、ラッチ舌状部２０が再び接続準備完了開始位置に戻る（図３ａ、図４ｃ）まで、ピン２５が取外された後でさえ、ラッチ舌状部２０はこの取外し位置に固定されたままである（図４ｂ）。
【００２３】
取外し位置に固定するためには、図１及び図５ａに詳細に示すように、ラッチ舌状部２０は、そのラッチノーズ２１の両側にそれぞれのラッチばね２６を有し、担持部５は、ベアリングベース１２の上で上方に突出する２つのカウンタベアリング２７を有する。２つの取付具部品４，５が互いに差し込まれているとき、遅くともラッチ舌状部２０の係止位置において、ラッチばね２６はカウンタベアリング２７上で、夫々、ラッチノーズ２１に向かう方向２９、すなわち互いに向かう方向において、ラッチ舌状部２０の撓み面２８に対して横方向に撓み、したがって、反対方向にプレストレスを与えられる（図５ｂ）。取付具部品４，５が互いに差し込まれたときに互いに接触するラッチばね２６及びカウンタベアリング２７の端面３０，３１は、それに対応して、差し込み方向に対して斜めになり、ラッチばね２６を相互に向かう方向に撓ませる。カウンタベアリング２７は、ラッチ舌状部２０の取外し位置に達する前まで係止位置から延びており、それ故、ラッチ舌状部２６はカウンタベアリング２７に対して撓み、プレストレスを与えられたままになる。ラッチ舌状部２０の取外し位置において、ラッチばね２６は、その後、跳ね戻り、すなわち、互いから離れる外方に跳ね、カウンタベアリング２７の後ろに係合し（図５ｃ）、その結果、取外し位置において、偏向されたラッチ舌状部２０は、担持部５にラッチされ、プレストレスが与えられる（図４ｂ）。ラッチ舌状部２０は、２つの取付具部品４，５が分離されているときに、もはやカウンタベアリング２７と接触しなくなり、再び接続準備完了開始位置に跳ね戻る（図３ａ、図４ｃ）まで、この取外し位置に固定されたままである。
【００２４】
図示した２つの横方向のラッチばね２６の代わりに、代替形態として、１つのラッチばねのみを設けることも可能である。
【００２５】
図１の取付具とは対照的に、図６に示す取付具１のベアリングベース１２のアクセス開口２４は、スロット開口又は十字スロット開口の形態で設計されており、その結果、それに差し込まれたドライバ２５を用いて、ラッチ舌状部２０を係止位置から図示の取外し位置に撓ませることができる。
【００２６】
図７に示された取付具１は、取外し位置においてラッチ舌状部２０を固定する異なる手段のみが、図１の取付具とは異なる。図８ａ、図８ｂに示すように、ラッチ舌状部２０の最も外側の端部は、ラッチノーズ２１から見て外側に面する後方領域にある２つの半径方向に先細りの外面３３を有するラッチヘッド３２の形態で設計されている。担持部５は、そのベアリングベース１２内に上方に開いたスロット３４を有する。ラッチヘッド３２は、図８ａに示されているラッチ舌状部２０の係止位置においてスロット３４から離間しているが、図８ｂに示されているラッチ舌状部２０の取外し位置において担持部５のスロット壁の後ろにラッチするまでスロット３４を介して押し込まれており、したがって、撓んだラッチ舌状部２０は、担持部５にラッチされ、プレストレスを与えられている。２つの取付具部品４，５が分離されているときに、ラッチヘッド３２がスロット３４及びラッチ舌状部２０から上向きの方向に出ていると共に、再び接続準備完了の開始位置に跳ね戻るまで、ラッチ舌状部２０はこの取外し位置に固定されたままである。
【００２７】
図示されているように、ラッチ舌状部２０の最外端に存在する代わりに、ラッチヘッド３２は他の位置に設けることもできる。特に、ラッチばね２０の後側全体が後方に先細りのラッチ断面を有することもできる。
【００２８】
図示されていない実施の形態では、担持部５のベアリングベース１２のアクセス開口２４は、取付具部品４，５が互いに差し込まれたときに、ラッチ舌状部２０が誰かの指によって係止位置から取外し位置へと撓ませることができるようなサイズである。この目的のために、ラッチ舌状部２０がアクセス開口２４へと延びるか、又はアクセス開口２４から突出させることができる。
【符号の説明】
【００２９】
１  取付具
２，３  家具部品
４  第１の取付具部品
５  第２の取付具部品
２０  ラッチ舌状部
２１  ラッチノーズ
２３  ラッチカム
２７  カウンタベアリング
２８  撓み
【図１】
2019516044.tif 000003
【図２ａ】
2019516044.tif 000004
【図２ｂ】
2019516044.tif 000005
【図２ｃ】
2019516044.tif 000006
【図３ａ】
2019516044.tif 000007
【図３ｂ】
2019516044.tif 000008
【図３ｃ】
2019516044.tif 000009
【図４ａ】
2019516044.tif 000010
【図４ｂ】
2019516044.tif 000011
【図４ｃ】
2019516044.tif 000012
【図５ａ】
2019516044.tif 000013
【図５ｂ】
2019516044.tif 000014
【図５ｃ】
2019516044.tif 000015
【図６】
2019516044.tif 000016
【図７】
2019516044.tif 000017
【図８ａ】
2019516044.tif 000018
【図８ｂ】
2019516044.tif 000019
【国際調査報告】
2019516044.tif 000020
2019516044.tif 000021
2019516044.tif 000022
2019516044.tif 000023
2019516044.tif 000024
2019516044.tif 000025